(57)【要約】【課題】超音波振動によるマッサージの基本効能を引き出しつつ、広範囲に頭皮表層及び内部で高いマッサージ効果を得ることができる超音波ヘアブラシを提供する。【解決手段】毛髪を梳くための複数の条体２を該条体２の基部で支持するブラシ本体１と、該ブラシ本体１に取り付けられ超音波振動を発生する超音波振動体８と、ブラシ本体１に取り付けられ機械的運動により振動を発生する振動モータ６とを備え、超音波振動と該機械的振動とを上記複数の条体２に伝達するようになっている。【選択図】　図２
2004065914.tif 000002
【特許請求の範囲】
【請求項１】
毛髪を梳くための線状若しくは棒状の複数の条体を該条体の基部で支持するブラシ本体と、該ブラシ本体に取り付けられ超音波を発生する超音波発生手段とを備え、該超音波発生手段によって発生した超音波振動によって上記条体を超音波振動させるようになっている超音波ヘアブラシにおいて、ブラシ本体に取り付けられ機械的運動により振動を発生する機械的振動発生手段を備え、超音波振動と該機械的振動とを上記複数の条体に伝達するようになっていることを特徴とする超音波ヘアブラシ。
【請求項２】
ブラシ本体は、複数の条体を支持する支持部と、該支持部から延出し使用者による把持のための把持部とを有し、上記支持部と該把持部は弾性体を介して接続されていることとする請求項１に記載の超音波ヘアブラシ。
【請求項３】
ブラシ本体は、複数の条体を支持する支持部と、該支持部から条体の延びる方向に対して直角に延出し使用者による把持のための把持部とを有し、機械的振動発生手段は、モータ軸体に偏心して取り付けられた重りを有する振動モータであり、該モータ軸体の軸線は上記把持部が延出する方向と上記条体の延びる方向とを含む面に対して垂直をなしていることとする請求項１に記載の超音波ヘアブラシ。
【請求項４】
ブラシ本体は、条体を支持する領域部分の質量が他の部分よりも大きくなっていることとする請求項１乃至請求項３のいずれか一項に記載の超音波ヘアブラシ。
【請求項５】
ブラシ本体の条体は自由端に向けて先細り形状となっていることとする請求項１乃至請求項３のいずれか一項に記載の超音波ヘアブラシ。
【請求項６】
ブラシ本体は、複数の条体を支持する支持部と、該支持部が該条体を支持する面に対して該条体の延出方向で上記条体とは反対側に上記支持部の上記面とほぼ平行に位置し上記支持部に接続され使用者による把持のための把持部とを有していることとする請求項１に記載の超音波ヘアブラシ。
【請求項７】
ブラシ本体は、複数の条体を支持する支持部と、該支持部が該条体を支持する面に対して該条体の延出方向で上記条体とは反対側に上記支持部の上記面とほぼ平行に位置し上記支持部に接続され使用者による把持のための把持部とを有し、超音波発生手段は、電力の供給を受けて高周波を発振する高周波発振器と、該高周波発振器から高周波を受けて励振される超音波振動体とを有し、上記高周波発振器は上記把持部に取り付けられ、上記超音波振動体は上記支持部に取り付けられていることとする請求項１に記載の超音波ヘアブラシ。
【請求項８】
超音波発生手段及び機械的振動手段は、これらの駆動部が、ブラシ本体に内蔵された充電池に接続され、該ブラシ本体は、上記充電池へ電力を供給して充電する充電台に取り外し自在に支持され、上記充電台から上記充電池への電力供給は、上記ブラシ本体が上記充電台に支持されているときに、上記ブラシ本体と上記充電台との間に形成される電磁誘導結合を介して行われるようになっていることとする請求項１又は請求項７に記載の超音波ヘアブラシ。
【請求項９】
ブラシ本体は、少なくとも条体がトルマリン粉末を含有して成形されていることとする請求項１乃至請求項８のいずれか一項に記載の超音波ヘアブラシ。
【発明の詳細な説明】
【０００１】
【発明の属する技術分野】
本発明は、毛髪を梳くための条体を超音波発生手段によって発生した超音波振動によって超音波振動させるようになっている超音波ヘアブラシに関するものである。
【０００２】
【従来の技術】
従来、ヘアブラシとしては、毛髪を梳くためのワイヤ状のブラシ体を振動させるものが知られている（例えば、特許文献１、特許文献２参照）。
【０００３】
特許文献１にて開示されているブラシは、モータの軸に偏心して取り付けられた重りの回転による機械的振動を、ブラシ体を支持する本体部を介してブラシ体に伝達するようになっている。このようなブラシ（以下、機械的振動ブラシという）にあっては、ブラシ体を頭部に接触させて使用すると、上記ブラシ体に伝わる機械的振動が、手や指で行なうマッサージよりも早い繰り返し動作で、マッサージ効果をもたらす。
【０００４】
一方、特許文献２にて開示されているブラシは、発振器からの出力によって、ブラシ体が植設された超音波振動子に超音波を発生させ、この超音波振動を上記ブラシ体に伝達させるようになっている。このようなブラシ（以下、超音波ブラシという）にあっては、ブラシ体に伝達された超音波振動により頭皮を洗浄することができる。
【特許文献１】
特開平９−１７３１４７号公報（図２）
【特許文献２】
特開平８−１１０４号公報（図２）
【０００５】
【発明が解決しようとする課題】
しかしながら、上述の機械的振動ブラシや超音波ブラシにおいては、次のような問題点を有していた。
【０００６】
機械的振動ブラシでは、機械的振動は、指や手で行なうマッサージの繰り返し動作よりは高い周波数であるものの、低い周波数での振動であるので、頭皮表層で比較的広く伝わるが頭皮内部へ深く伝わらず、頭皮表層の浅い領域でしかマッサージ効果を得ることができない。
【０００７】
一方、超音波ブラシでは、超音波振動は、高い周波数での振動であるので、頭皮内部の深い領域まで伝えることが可能である。しかし、人体への超音波振動の付与に際しては、超音波振動の強度は、過度に高いと人体の組織破壊作用をもたらすこともあるので、低く適度に抑えなければならない。それ故、超音波振動が頭皮に対する温熱作用や血管拡張作用等をもたらしより高いマッサージ効果を期待できるという基本効能を有しているにも拘らず、超音波振動の強度を低くしなければならないので、この基本効能を十分に引き出すには至らない。又、超音波振動は、ブラシ体の延出する方向での振動として伝えられるため、該方向に直角な半径方向、すなわち頭皮の面に沿った方向に広がった接触面で頭皮に伝わらないので、広い範囲でのマッサージ効果を得ることができない。
【０００８】
そこで、本発明は、超音波振動によるマッサージの基本効能を引き出しつつ、広範囲に頭皮表層及び内部で高いマッサージ効果を得ることができる超音波ヘアブラシの提供を目的とする。
【０００９】
【課題を解決するための手段】
本発明によれば、上記目的は、毛髪を梳くための線状若しくは棒状の複数の条体を該条体の基部で支持するブラシ本体と、該ブラシ本体に取り付けられ超音波を発生する超音波発生手段とを備え、該超音波発生手段によって発生した超音波振動によって上記条体を超音波振動させるようになっている超音波ヘアブラシにおいて、ブラシ本体に取り付けられ機械的運動により振動を発生する機械的振動発生手段を備え、超音波振動と該機械的振動とを上記複数の条体に伝達するようになっていることによって達成される。
【００１０】
かかる本発明にあっては、条体に伝達された機械的振動と超音波振動は、頭皮内部への深さ方向で、同時に互いに重なり領域をもって機械的振動が頭皮表層に与えられ超音波振動が頭皮内部に与えられる。その結果、上記重なり領域にて、機械的振動によって圧迫弛緩された血管等に超音波振動が加えられ、血管等と血液等との間の摩擦抵抗が減少し、血液等の流れが円滑となる。又、上記重なり領域外（上記重なり領域よりも深い頭皮内部層）であっても、上記重なり領域による機械的振動及び超音波振動の影響を受けて、超音波振動が与えられる血管等に、その隣接する頭皮表層領域から機械的振動によって圧迫弛緩されて押し出された血液等が流れ込むので、上述と同様に血管等と血液等との間の摩擦抵抗が減少し、血液等の流れが円滑となる。更に、条体が機械的振動によって半径方向に振動するので、条体の先端部分に伝達された超音波振動を頭皮の面に対して広範囲に伝達することができる。このように、機械的振動と超音波振動による相乗効果により広範囲で高いマッサージ効果が得られる。
【００１１】
本発明においては、ブラシ本体は、複数の条体を支持する支持部と、該支持部から延出し使用者による把持のための把持部とを有し、上記支持部と該把持部は弾性体を介して接続されていることが、上記支持部と上記把持部との間の振動が絶縁され把持部から使用者への振動が軽減されるので、使い勝手がよくなり、好ましい。
【００１２】
又、機械的振動発生手段は、モータ軸体に偏心して取り付けられた重りを有する振動モータであり、該モータ軸体の軸線は把持部が延出する方向と条体の延びる方向とを含む面に対して垂直をなしていると、条体がその半径方向のみならず延出する方向にも振動するので、条体の半径方向では、頭皮と接触する幅が広がり、条体の延出方向では、頭皮に対する条体の接圧が向上する。これにより、より高いマッサージ効果を得ることができる。
【００１３】
更に、超音波が有効に条体に伝達されるようにするためには、ブラシ本体は、条体を支持する領域部分の質量が他の部分よりも大きくなっているとよい。又、条体は自由端に向けて先細り形状となっているとよい。
【００１４】
又、把持部は、支持部が条体を支持する面に対して該条体の延出方向で該条体とは反対側に該支持部の上記面とほぼ平行に位置し上記支持部に接続されているようにすることもできる。こうすることにより、ブラシ本体が特定の一つの方向にのみ長くなってしまうということがないので、使用者が把持部を把持したときに条体に対して直接的に力を印加できるので、使い勝手がよくなる。また、旅行等の際にバック等の限られた空間内に超音波ヘアブラシを収容して持ち運ぶ場合に便利である。
【００１５】
更に、超音波発生手段は、電力の供給を受けて高周波を発生させる高周波発振器と、該高周波発振器から高周波を受けて励振される超音波振動体とを有し、上記高周波発振器は把持部に取り付けられ、上記超音波振動体は支持部に取り付けられているようにすることができる。こうすることにより、把持部の内部空間を有効利用して高周波発振器を配置できる。又、機械的に振動する超音波振動体が条体に近い位置に配置され、機械的な振動を受けることが好ましくない高周波発振器等の電子部品が上記条体から遠い位置に配置されるので、電子部品の障害を低減できる。
【００１６】
又、超音波発生手段及び機械的振動手段は、これらの駆動部が、ブラシ本体に内蔵された充電池に接続されているならば、該ブラシ本体は、上記充電池へ電力の供給して充電する充電台に取り外し自在に支持され、上記充電台から上記充電池への電力供給は、上記ブラシ本体が上記充電台に支持されているときに、上記ブラシ本体と上記充電台との間に形成される電磁誘導結合を介して行われるようにすることができる。こうすることにより、使用者は、ブラシの不使用時にブラシ本体を充電台に掛けて支持させるのみで、該ブラシ本体内の充電池を充電できるので、ブラシ本体内の充電池へ電力供給するためのコードや電池交換の手間が不要となり、浴室等での使用に際しても使用者は簡単に取扱うことができる。また、充電台からブラシ本体内の充電池への電力供給が電磁誘導結合を介して行われるので、充電台からブラシ本体内の充電池への電力供給のための接点が充電台やブラシ本体に不要となり、接点不良等の接点に関連するトラブルが起こらないだけでなく、ブラシ本体の内部空間を簡単に水密構造にでき、浴室等の水気の多い場所で超音波ヘアブラシの使用を可能とする。
【００１７】
更に、ブラシ本体は、少なくとも条体がトルマリン粉末を含有する樹脂等で成形されていると、トルマリンが発生させるマイナスイオンにより人体の新陳代謝を促進させながら機械的振動及び超音波振動が頭皮に伝達されるので、これらの相乗効果により高いマッサージ効果を得ることができる。本発明では、トルマリンは機械振動や超音波振動を受けるのでより多くのマイナスイオンを発生させることができる。又、浴室等では、室温が高く水分が多いため更に多くのマイナスイオンを発生させることができる。
【００１８】
【発明の実施の形態】
以下、本発明の実施の形態に関して、添付図面に基づき説明する。
【００１９】
図１は、本実施形態にかかる超音波ヘアブラシの外観を示す正面図であり、図２は、図１の超音波ヘアブラシの内部構造を示す図１におけるＩＩ−ＩＩ線断面図であり、図３は、その内部構造の回路構成を示すブロック図である。
【００２０】
かかる超音波ヘアブラシは、図１及び図２に示すように、毛髪を梳くための棒状の複数の条体２を支持するブラシ本体１と、該ブラシ本体１の内部空間内に収められた、高周波発振器７及びその信号を受けて超音波振動を発生させる超音波振動体８と、機械的振動発生手段としての振動モータ６と、さらには、超音波振動体８と振動モータ６のための制御部９と電源１０とを備えている。本実施形態では、高周波発振器７と超音波振動体８とが超音波発生手段を構成している。かかる超音波ヘアブラシにあっては、超音波振動体８による超音波振動と振動モータ６による機械的振動とが同時に条体２へ伝達可能となっている。
【００２１】
ブラシ本体１は、例えば、主として、プラスチック材料を成形して作られており、複数の条体２を該条体２の基部で支持する支持部３と、該支持部３から延出するように該支持部３に取り付けられた、使用者による把持のための把持部４とを有している。支持部３は、板状の伝達部３ａとこれに接着等により一体に取り付けられたカバー部３ｂとを有している。伝達部３ａは、その外側の面に上記複数の条体２が形成され内側の面に超音波振動体８及び振動モータ６が取り付けられている。カバー部３ｂは、超音波振動体８及び振動モータ６等を覆うように伝達部３ａに取り付けられている。支持部３の伝達部３ａに設けられた複数の条体２は、図１のごとく千鳥状に配置されている。伝達部３ａと一体に形成されているこの条体２は、超音波振動体８からの超音波振動を条体２の先端部を経て頭皮にまで伝達するが、その伝達を効率よく行なうために先細り形状となっており、先端部が頭皮に対して面接触となるようほぼ平坦面をなしている。
【００２２】
又、支持部３は、超音波振動体８そして振動モータ６の振動を伝達部３ａへ集中的に伝えて該カバー部３ｂの方への逃げを少なくするために、伝達部３ａが、カバー部３ｂよりも大きな質量となるように、すなわちカバー部３ｂよりも厚く成形されている。
【００２３】
一方、把持部４は内部空間を有し、該内部空間には、乾電池、充電電池等の電源１０が配設されている。本実施形態では、ブラシ本体１は、風呂場等の水気のある場所での超音波ヘアブラシの使用を可能とするために、上記支持部３そして把持部４の内部空間は水密構造となっている。支持部３から把持部４への振動を抑制して使い勝手をよくするために、上記支持部３と該把持部４は弾性体５を介して接続されており、この弾性体５によって支持部３と把持部４との間の振動が良好に絶縁される。尚、弾性体５としては、支持部３と把持部４との間の振動が絶縁されるものであれば、ゴム、バネ等の様々な弾性体が適用可能である。
【００２４】
図２に示すように上述の支持部３の伝達部３ａに取り付けられた超音波振動体８は、図３に示すように、高周波発振器７に接続されている。高周波発振器７は、本実施形態では、支持部３のカバー部３ｂの内側面に取り付けられていて（図２参照）、超音波振動体８での超音波振動数を設定値となるよう制御する制御部９が接続されている。この制御部９は、カバー部３ｂの内側面に取り付けられ、電源スイッチ１１を介して、把持部４内に設けられた電源１０に接続されている。この電源スイッチ１１は、カバー部３ｂの外側から使用者により、電源１０から制御部９への電力を供給又は遮断とすることができるようになっている。このようにして励振される超音波振動体８からの超音波振動は伝達部３ａを介して条体２に伝達する。尚、超音波振動体８での超音波振動の振動数の設定値は、２０ｋＨｚ〜１０ＭＨｚであることが好ましく、３０ｋＨｚ〜２ＭＨｚであることが望ましい。
【００２５】
図２に示すように上述の支持部３の伝達部３ａに取り付けられた振動モータ６は、図３に示すように上述の制御部９に接続されている。制御部９は、上述したように高周波発振器７への電力を制御すると共に、振動モータ６による機械的振動の振動数が設定値となるよう振動モータ６への電力をも制御する。このように、振動モータ６は機械的振動を発生させ、該機械的振動は伝達部３ａを介して条体２に伝達する。尚、振動モータ６による機械振動の振動数の設定値は、１００Ｈｚ〜３００Ｈｚが好ましく、このときの振動モータ６の回転数は６０００ｒｐｍ〜１８０００ｒｐｍである。
【００２６】
ここで、図４に基づき、振動モータ６の構成について詳細に説明する。尚、図４は、振動モータ６の概略構成を示す図である。
【００２７】
振動モータ６は、図４に示すように、回転軸体６ｂを有するモータ６ａと、モータ６ａの回転軸体６ｂに偏心して取り付けられた重り６ｃとを有している。回転軸体６ｂの軸線は、ブラシ本体１の把持部４が延出する方向たるＸ方向と、条体２の延びる方向たるＺ方向とを含む面に対して垂直となるＹ方向を向いている。従って、回転軸体６ｂがＹ方向を向く軸線まわりに回転することによって、偏心重り６ｃの振れまわり回転によりＸ，Ｚ方向での振動が発生する。このような振動モータ６のＸ，Ｚ方向の振動により、条体２が、その半径方向、即ち図４に示すＸ方向のみならず、該条体２の延出方向たるＺ方向にも振動するようになっている。
【００２８】
次に、本実施形態の超音波ヘアブラシの使用方法について説明する。
▲１▼　本発明による超音波ヘアブラシの使用に際しては、先ず、使用者が電源スイッチ１１を投入すると、電源１０から制御部９へ電力が供給される。
▲２▼　制御部９へ電力が供給されると、制御部９から振動モータ６及び高周波発振器７へそれぞれの設定電力が供給される。
▲３▼　電力の供給を受けた振動モータ６は設定振動数にて機械的振動を発生させる。一方、電力の供給を受けた高周波発振器７は超音波振動体８に高周波電力を供給し、超音波振動体８は励振されて設定振動数にて超音波振動を発生させる。
▲４▼　このようにして発生した超音波振動と機械的振動は、超音波振動体８及び振動モータ６の取り付けられた支持部３の伝達部３ａを介して条体２に同時に伝達される。
【００２９】
上述したように超音波振動及び機械的振動が条体２に伝達された状態で、使用者は把持部４を把持して通常のヘアブラシと同様に、頭皮に条体２を接触させる。このように条体２が頭皮と接触することにより、超音波振動及び機械的振動が条体２から頭皮に伝達される。このとき、条体２から頭皮へ超音波振動及び機械的振動が伝達されるが、超音波振動に関しては、条体２が水分を保持している状態、或いは頭皮が濡れている状態、例えば、浴室内で入浴中に使用すると、条体２から頭皮への超音波振動の伝達効率が高まるのでよい。特に、入浴中での使用、或いは、シャンプーによる洗髪中の使用では、水分そしてシャンプーを介して超音波振動がきわめて良好に伝達され、上記伝達効率が向上する。又、シャンプー自体の洗浄作用に加え、超音波振動による洗浄作用も得られ、洗浄効果を向上させる。更に、条体２又は頭皮に育毛剤や養毛剤等の薬剤を付けて使用すると、頭皮への薬剤の浸透を向上させる。
【００３０】
このようにして超音波ヘアブラシが使用されると、条体２に伝達された機械的振動と超音波振動は、該機械的振動が比較的低い周波数での振動であり該超音波振動が高い周波数での振動であるので、頭皮内部への深さ方向、即ち図４に示すＺ方向で、同時に互いに重なり領域をもって機械的振動が浅い領域である頭皮表層に与えられ超音波振動が深い領域である頭皮内部にまで与えられる。
【００３１】
その結果、上記重なり領域領域にて、低い周波数での振動である機械的振動によって血管等が手や指でのマッサージのごとく圧迫弛緩される。この圧迫弛緩された血管等に、高い周波数での振動である超音波振動が加えられ、血管等と血液等との間の摩擦抵抗が減少し、血液等の流れが円滑となる。
【００３２】
又、上記重なり領域よりも深い頭皮内部層では、高い周波数での振動である超音波振動のみが伝達され、上記重なり領域外であっても、上記重なり領域による機械的振動及び超音波振動の影響を受ける。つまり、超音波振動が与えられる血管等に、その隣接する頭皮表層領域から機械的振動によって圧迫弛緩されて押し出された血液等が流れ込むので、上述と同様に血管等と血液等との間の摩擦抵抗が減少し、血液等の流れが円滑となる。
【００３３】
更に、本実施形態では、上述したように、条体２が、頭皮の面に沿った方向たるＸ，Ｙ方向のみならず、頭皮の面と垂直な方向たるＺ方向にも振動する。又、使用者が把持部４を把持して条体２で毛髪を梳くと、条体２は、図４に示すＹ方向に移動される。従って、この方向での移動中、条体２はその半径方向たるＸ，Ｙ方向に移動往復して、頭皮と条体２のＸ方向での接触幅が拡大することとなり、一方、条体２の延出方向たるＺ方向では、同方向での振動によって頭皮に対する条体２の接圧の向上が図られる。又、上記条体２で毛髪を梳く際、超音波振動の作用によって、条体２は毛髪にまつわり付くことなく、滑らかに上記Ｙ方向に移動する。
【００３４】
このように、機械的振動と超音波振動による相乗効果により広範囲で高いマッサージ効果が得られる。
【００３５】
次に、本発明の他の実施形態について、添付図面の図５乃至図７に基づき説明する。
【００３６】
図５は、本発明の他の実施形態にかかる超音波ヘアブラシの外観を示す正面図であり、図６は、図５の超音波ヘアブラシの内部構造を示す図５におけるＶＩ−ＶＩ線断面図であり、図７は、図６に示す超音波ヘアブラシの内部構造のブロック図である。尚、図５乃至図７において、上述の実施形態と共通部位には、図１乃至図４と同一の符号を付している。
【００３７】
本実施形態かかる超音波ヘアブラシは、図５に示すごとく三箇所に分割された領域のそれぞれにて複数の条体２を群をなすように配置して支持するブラシ本体２１が、図６に示すように、該ブラシ本体２１内の高周波発振器７及び振動モータ６の駆動のための電源として充電池３０を内蔵しており、該充電池３０は充電式となっている。そして、ブラシ本体２１は、図５及び図６に示すように、ブラシの不使用時には、上記充電池３０を充電するための充電台３１に取り外し自在に支持されている。
【００３８】
ブラシ本体２１は、図６にて左方へ突出する複数の条体２を支持する支持部２３と、該支持部２３に対して図６にて右側部に取り付けられた把持部２４とを有している。このように、本実施形態では、把持部２４が、支持部２３が条体を支持する面に対して条体２の延出方向で上記条体２とは反対側に上記支持部２３の上記面とほぼ平行に位置し上記支持部２３に接続されているため、ブラシ本体２１が特定の一つの方向にのみ長くなってしまうということがなく、使用者が把持部２４を把持したときに条体２に対して直接的に力を印加できるので、使い勝手がよくなっている。また、旅行等の際にバック等の限られた空間内に超音波ヘアブラシを収容して持ち運ぶ場合に便利となっている。
【００３９】
支持部２３は、振動モータ６及び超音波振動体８が取り付けられた板状の伝達部２３ａと、超音波振動体８及び振動モータ６等を覆うように形成されたカバー部２３ｂとが接着等により一体化されている。
【００４０】
一方、把持部２４の内部空間には、高周波発振器７、制御部９、電源スイッチ１１、充電池３０、後述の無接点充電受電部３０ａ及び充電制御部３０ｂが配設されている。
【００４１】
このように、本実施形態では、支持部２３内に振動モータ６及び超音波振動体８だけが配設され、高周波発振器７等の他の部品が把持部２４内に配設されているので、把持部２４の内部空間を有効利用して高周波発振器７等を配置できる。又、機械的に振動する超音波振動体８が条体２に近い位置に配置され、機械的な振動を受けることが好ましくない高周波発振器７等の電子部品が上記条体２及び超音波振動体８から遠い位置に配置されるので、電子部品の障害を低減できる。又、本実施形態では、伝達部２３ａは、上記カバー部２３ａとの隣接部位に形成された溝２３ａ１により断面がくびれているため、伝達部２３ａからカバー部２３ｂへの振動伝達を溝２３ａ１で可及的に遮断している。
【００４２】
把持部２４の上記支持部２３側には、くびれ部２４ｂが形成されており、ブラシ本体２１は、このくびれ部２４ｂが充電台３１の上部に掛けられるようにして充電台３１に取り外し自在に支持される。把持部２４内にはくびれ部２４ｂの近傍に、後述の無接点充電駆動部３１ａの一次側コイルと電磁誘導結合を形成して商用電源から充電池３０へ電力を供給する二次側コイルを有する無接点充電受電部３０ａが内臓されている。無接点充電受電部３０ａと充電池３０は、無接点充電受電部３０ａから充電池３０への電力を設定値に制御する充電制御部３０ｂを介して接続されている。このように、本実施形態では、超音波振動及び機械的振動の発生のための電源を充電池３０とし、商用電源から充電池３０への電力供給をブラシ本体２１と充電台３１との間で電磁誘導結合を介して行うので、充電台３１からブラシ本体２１内の充電池３０への電力供給のために露出する接点が充電台３１やブラシ本体２１に不要となる。したがって、ブラシ本体２１から露出する接点がないので接点不良等の接点に関連するトラブルが発生する心配がなく、又、ブラシ本体２１に接点の収容のための穴等を形成する必要もないのでブラシ本体２１を簡単に水密構造にでき、浴室等での超音波ヘアブラシの使用を可能とする。なお、把持部２４は、把持部２４の外部から使用者が電源スイッチ１１を操作できるようになっている。本実施形態では、電源スイッチ１１を把持部２４から外部へ露出せずに把持部２４の内部空間を水密構造とするように、把持部２４は、外部からの力で容易に撓むカバー部材２４ａが電源スイッチ１１の操作部位を覆って把持部２４の外周面に密着して取り付けられている。したがって、このカバー部材２４ａの外から電源スイッチ１１の操作を行える。
【００４３】
充電台３１は、充電台３１の上部でブラシ本体２１のくびれ部２４ｂを掛けてブラシ本体２１を支持するようになっている。充電台３１は、ブラシ本体２１を支持しているときの無接点充電受電部３０ａに対応する上部の部位に、商用電源に接続された一次側コイルを有する無接点充電駆動部３１ａが内蔵されている。ブラシ本体２１が充電台３１に支持されている際には、充電台３１の無接点充電駆動部３１ａの一次側コイルとブラシ本体２１の把持部２４内の無接点充電受電部３０ａの二次側コイルとの電磁誘導結合により、商用電源からの電力が充電台３１からブラシ本体２１内の充電池３０へ供給されて充電池３０が充電される。このように、本実施形態では、ブラシ本体２１内の充電池３０への電力供給のためのコードや電池交換の手間が不要となっているので、使用者の取扱いが簡単となっている。
【００４４】
かくして、図５乃至図７に示す超音波ブラシにあっては、使用に際しては、使用者は上記把持部２４を把持しつつ上記ブラシ本体２１を上記充電台３１から取り外して使用する。不使用時には、図５及び図６に示すように上記充電台３１によってブラシ本体２１が支持されて、ブラシ本体２１内の充電池３０が充電台３１によって充電される。
【００４５】
尚、本発明は、上述の実施形態に限定されるのもではなく、特許請求の範囲に記載された範囲内で様々な変形が可能である。
【００４６】
例えば、機械振動発生手段としては、上述の振動モータ６に限らず、機械的強制振動機械により往復や回動等の振動を発生させるものであればよい。
【００４７】
又、条体は、上述の実施形態では、図８（Ａ）に示すように先細り形状になっているが、線状若しくは棒状であればよい。但し、条体２の先端部分にまで効率よく超音波振動を伝達するためには、条体は先細り形状であることが好ましく、図８（Ｂ）に示すように指数関数的に先細りになっているとなおよい。
【００４８】
更に、複数の条体は千鳥状に配置されていることが好ましいが、他の配置、例えば格子状或いは直線状に配置されていてもよい。
【００４９】
又、ブラシ本体は、既述の機械的振動及び超音波振動によるマッサージ効果と共に、条体にトルマリン粉末を含有させると、トルマリンが発生させるマイナスイオンにより人体の新陳代謝を促進させることもできるので、相乗効果により高いマッサージ効果を得ることができる。本発明では、トルマリンは機械振動や超音波振動を受けるのでより多くのマイナスイオンを発生させることができる。又、浴室等では、室温が高く水分が多いため更に多くのマイナスイオンを発生させることができる。
【００５０】
【発明の効果】
以上説明したように、本発明によれば、条体に伝達された機械的振動及び超音波振動が、頭皮内部への深さ方向で、同時に互いに重なり領域をもって頭皮に与えられるので、該重なり領域にて、機械的振動によって圧迫弛緩された血管等に超音波による振動が加えられ、血管等と血液等との間の摩擦抵抗が減少し、血液等の流れが円滑となる。又、上記重なり領域外（上記重なり領域よりも深い頭皮内部層）であっても、上記重なり領域による機械的振動及び超音波振動の影響を受けて、超音波による振動が与えられる血管等に、流れの円滑化された血液等が流れ込むので、血管等と血液等との間の摩擦抵抗が減少し、血液等の流れが円滑となる。このように、超音波振動によるマッサージの効果を引き出しつつ、広範囲に頭皮の表層及び内部で高いマッサージ効果を得ることができる。
【図面の簡単な説明】
【図１】本発明の実施形態にかかる超音波ヘアブラシの外観を示す正面図である。
【図２】図１の超音波ヘアブラシの内部構造を示す図１におけるＩＩ−ＩＩ線断面図である。
【図３】図２に示す超音波ヘアブラシの内部構造のブロック図である。
【図４】図２の超音波ヘアブラシに備えられた振動モータを説明するための図である。
【図５】本発明の実施形態にかかる超音波ヘアブラシの外観を示す正面図である。
【図６】図５の超音波ヘアブラシの内部構造を示す図５におけるＶＩ−ＶＩ線断面図である。
【図７】図６に示す超音波ヘアブラシの内部構造のブロック図である。
【図８】超音波ヘアブラシの条体の形状の一例を示す図である。
【符号の説明】
１　ブラシ本体
２　条体
３　支持部
４　把持部
５　弾性体
６　振動モータ
６ａ　モータ
６ｂ　回転軸体
６ｃ　重り
７　高周波発振器
８　超音波振動体
９　制御部
１０　電源
１１　電源スイッチ
２１　ブラシ本体
２３　支持部
２４　把持部
３０　充電池
３１　充電台
【図１】
2004065914.tif 000003
【図２】
2004065914.tif 000004
【図３】
2004065914.tif 000005
【図４】
2004065914.tif 000006
【図５】
2004065914.tif 000007
【図６】
2004065914.tif 000008
【図７】
2004065914.tif 000009
【図８】
2004065914.tif 000010